【事件の表示】
　特許第２９８４４３７号「撮像装置」の請求項１、２に係る特許に対する特許異議の申立てについて、次のとおり決定する。
【結　論】
　訂正を認める。
　特許第２９８４４３７号の請求項１ないし２に係る特許を維持する。
【理　由】
１．手続の経緯
　　特許第２９８４４３７号の請求項１、２に係る発明についての出願は、平成３年１０月２８日に特許出願され、平成１１年９月２４日にその発明について特許の設定登録がされ、その後、その特許について、異議申立人加藤修一により特許異議の申立てがなされ、取り消し理由通知がなされ、その指定期間内である平成１２年１０月１７日に訂正請求（後日取下げ）がなされた後、再度取り消し理由通知がなされ、その指定期間内である平成１２年１２月４日に訂正請求がなされたものである。
　
２．訂正の適否についての判断
　(1) 訂正の内容
　　　特許権者が求めている訂正の内容は以下のａないしｉのとおりである。
　　　なお、下線部が訂正箇所である。
　　ａ．特許請求の範囲の請求項１「走査手段」とあるのを、「走査
回路
　　ｂ．特許請求の範囲の請求項１「この走査手段」とあるのを、「
上記
回路
　　ｃ．特許請求の範囲の請求項１「この信号供給手段からの走査開始信号を受けるべく対応する上記走査手段の走査開始位置を選択する選択手段」とあるのを、「
撮像画素数及び撮像範囲を規定した複数種類の撮像規格から、撮像規格を選択する手段と、上記
回路
、選択された撮像規格に基いて
　　ｄ．特許請求の範囲の請求項１「上記走査手段が走査すべき所定の範囲を越えて上記走査信号が伝搬することを禁止する走査禁止手段と」とあるのを、「上記走査
回路
選択された撮像規格の撮像
　　ｅ．特許請求の範囲の請求項２「上記走査手段は双方向バッファで構成され、上記走査手段」とあるのを、「上記走査
回路
回路
　　ｆ．段落【０００９】全文を
「　　【課題を解決するための手段】
　すなわちこの発明は、Ｘ及びＹ方向に配列されたＸＹアドレス可能な複数の撮像画素を走査する走査
回路
上記
回路
撮像画素数及び撮像範囲を規定した複数種類の撮像規格から、撮像規格を選択する手段と、上記
回路
、選択された撮像規格に基いて
回路
選択された撮像規格の撮像
　　ｇ．段落【００１０】全文を
「　　【作用】
　この発明の撮像装置にあっては、
撮像画素数及び撮像範囲を規定した複数種類の撮像規格から、撮像規格を選択する手段と、上記
回路
、選択された撮像規格に基いて
回路
選択された撮像規格の撮像
撮像規格に基いて選択する
　　ｈ．段落【００１１】全文を
「　また、走査
回路
　　ｉ．段落【００２４】全文を
「　次に、鏡像モードの場合について説明する。鏡像モードの場合は、入力端子22にはローレベルの信号が加えられ、入力端子23にはハイレベルの信号が加えられている。したがって、バッファ24、25、26は全て非導通状態となり、バッファ27、28、29が有効となる。但し、入力端子32にローレベルの信号が加えられた場合（例えばＨＲが選択された場合）、アンドゲート31には入力端子32からローレベルの信号が入力されるので、バッファ28は非導通状態と
なる
　
　(2) 訂正の目的の適否、新規事項の有無、及び特許請求の範囲の拡張・変更の存否
　　ア．上記訂正事項ａ、ｅは、請求項１の「走査手段」を願書に添付した明細書（以下「特許明細書」という。）の段落【００１２】、【００１４】、【００２７】の記載に基いて「走査回路手段」と限定しているので、特許請求の範囲の減縮に該当するものであって、新規事項の追加に該当せず、また、実質上特許請求の範囲を拡張し、又は変更するものではない。
　　イ．上記訂正事項ｂは、請求項１の「この走査手段」を「上記走査回路手段」と限定するものであり、上記ア．のとおり特許請求の範囲の減縮に該当するものであって、新規事項の追加に該当せず、また、実質上特許請求の範囲を拡張し、又は変更するものではない。
　　ウ．上記訂正事項ｃは、請求項１の「この信号供給手段からの走査開始信号を受けるべく対応する上記走査手段の走査開始位置を選択する選択手段」を特許明細書の段落【００１４】ないし【００１８】、【００２５】の記載に基いて「撮像画素数及び撮像範囲を規定した複数種類の撮像規格から、撮像規格を選択する手段と、上記信号供給手段からの走査開始信号を受けるべく対応する上記走査回路手段の走査開始位置を、選択された撮像規格に基いて選択する選択手段」と限定しているので、特許請求の範囲の減縮に該当するものであって、新規事項の追加に該当せず、また、実質上特許請求の範囲を拡張し、又は変更するものではない。
　　エ．上記訂正事項ｄは、請求項１の「上記走査手段が走査すべき所定の範囲を越えて上記走査信号が伝搬することを禁止する走査禁止手段」を特許明細書の段落【００１７】ないし【００１９】、【００２３】ないし【００２５】の記載に基いて「上記走査回路手段が選択された撮像規格の撮像範囲を越えて走査信号が伝搬することを禁止する走査禁止手段」と限定しているので、特許請求の範囲の減縮に該当するものであって、新規事項の追加に該当せず、また、実質上特許請求の範囲を拡張し、又は変更するものではない。
　　オ．上記訂正事項ｆないしｈは、上記訂正事項ａないしｅに伴う訂正であり、上記訂正事項ｉは、明らかな誤記の訂正であるので、明りょうでない記載の釈明を目的とする訂正であって、新規事項の追加に該当せず、また、実質上特許請求の範囲を拡張し、又は変更するものではない。
　
　(3) むすび
　　　以上のとおりであるから、上記訂正は特許法第１２０条の４第３項において準用する平成６年法律第１１６号による改正前の特許法第１２６条第１項ただし書、第２項及び第３項の規定に適合するので、当該訂正を認める。
　
３．特許異議の申立てについて
　(1) 申立ての理由の概要
　　　特許異議申立人加藤修一は、特許第２９８４４３７号の請求項１、２に係る発明は、甲第１号証で示す刊行物に記載の発明と同一であるか、又は甲第１ないし３号証で示す刊行物に記載された発明に基いて当業者が容易に発明することができたものであり、特許法第２９条第１項第３号又は第２９条第２項の規定のより特許を受けることができず、その特許は、特許法第１１３条第２号に該当するので取り消されるべきものである旨主張している。
　
　(2) 本件発明
　　　特許第２９８４４３７号の請求項１、２に係る発明（以下それぞれ「本件発明１」、「本件発明２」という。）は、平成１２年１２月４日付けの訂正明細書の特許請求の範囲の請求項１、２に記載された事項により特定される次のとおりのものである。
　　【請求項１】　Ｘ及びＹ方向に配列されたＸＹアドレス可能な複数の撮像画素を走査する走査回路手段と、
　上記走査回路手段に走査開始信号を与える信号供給手段と、
　撮像画素数及び撮像範囲を規定した複数種類の撮像規格から、撮像規格を選択する手段と、
　上記信号供給手段からの走査開始信号を受けるべく対応する上記走査回路手段の走査開始位置を、選択された撮像規格に基いて選択する選択手段と、
　上記走査回路手段が選択された撮像規格の撮像範囲を越えて走査信号が伝搬することを禁止する走査禁止手段と、
　を具備することを特徴とする撮像装置。
　　【請求項２】　上記走査回路手段は双方向バッファで構成され、上記走査回路手段の走査方向を制御する走査方向制御手段を更に具備することを特徴とする請求項１に記載の撮像装置。
　
　(3) 引用刊行物に記載された発明 
　　　当審が平成１２年８月７日に通知した取消しの理由において引用した刊行物１（米国特許第４５３９５９８号、甲第１号証）、刊行物２（特開昭５６−７２５７３号公報、甲第２号証）、刊行物３（特開昭６３−２３２７５３号公報、甲第３号証）には、それぞれ次のことが記載されている。
　ア．刊行物１（米国特許第４５３９５９８号、甲第１号証）
　　　刊行物１には、イメージ読み出し方法及び装置に関し、走査回路を全て同一の走査回路要素で構成し、走査回路を所望の任意のタイミングで動作させることにより走査範囲を決定して、全イメージ領域から部分領域のみを読み出す部分読み出しを行うことが記載されている。
　イ．刊行物２（特開昭５６−７２５７３号公報、甲第２号証）
　　　刊行物２には、自己走査型フォトダイオードアレイに関し、走査回路を可逆動作可能なシフトレジスタで構成し、シフトレジスタの両端の２つの入力端子の何れか一方に入力信号を入力することにより、両方向への走査を可能とすることが記載されている。
　ウ．刊行物３（特開昭６３−２３２７５３号公報、甲第３号証）
　　　刊行物３には、走査回路に関し、走査パルスを順次出力する複数段の単位回路に強制的にリセットを行う手段を設けたものであり、走査回路を全て同一の単位回路で構成するとともに、走査回路のどの段が出力可能状態となっていても、リセットパルスを印加するだけで走査回路全体をリセットすることが記載されている。
　
　(4) 対比・判断
　　　本件発明１と上記刊行物１、２、３に記載された発明（以下それぞれ「刊行物１の発明」、「刊行物２の発明」、「刊行物３の発明」という。）とを対比すると、刊行物１、２、３の発明には、「撮像画素数及び撮像範囲を規定した複数種類の撮像規格から、撮像規格を選択する手段と、上記信号供給手段からの走査開始信号を受けるべく対応する上記走査回路手段の走査開始位置を、選択された撮像規格に基いて選択する選択手段と、上記走査回路手段が選択された撮像規格の撮像範囲を越えて走査信号が伝搬することを禁止する走査禁止手段」を具備することは記載されておらず、示唆する記載もない。
　　　しかも、「撮像画素数及び撮像範囲を規定した複数種類の撮像規格から、撮像規格を選択する手段と、上記信号供給手段からの走査開始信号を受けるべく対応する上記走査回路手段の走査開始位置を、選択された撮像規格に基いて選択する選択手段と、上記走査回路手段が選択された撮像規格の撮像範囲を越えて走査信号が伝搬することを禁止する走査禁止手段」を具備することにより、本件発明１は、明細書記載の「規格に応じて撮像画素数を選択することが可能な撮像装置を提供することができる」（訂正明細書【発明の効果】参照）といった顕著な作用効果を奏するものと認められる。
　　　してみると、本件発明１は、刊行物１、２、３の発明でないばかりか、刊行物１、２、３の発明に基いて当業者が容易に発明できたものでもない。
　　　本件発明２は、本件発明１を引用しているので、上記のとおり、刊行物１、２、３の発明でないばかりか、刊行物１、２、３の発明に基いて当業者が容易に発明できたものでもない。
　
４．むすび
　　以上のとおりであるから、特許異議申立ての理由及び証拠によっては、本件請求項１、２に係る発明の特許を取り消すことはできない。
　　また、他に本件請求項１、２に係る発明の特許を取り消すべき理由を発見しない。
　　よって、結論のとおり決定する。
【異議決定日】
平成１２年１２月２１日（２０００．１２．２１）
【訂正の要旨】
　　　訂正の要旨
　　ａ．特許請求の範囲の請求項１「走査手段」とあるのを、特許請求の範囲の減縮を目的として「走査
回路
　　ｂ．特許請求の範囲の請求項１「この走査手段」とあるのを、特許請求の範囲の減縮を目的として「
上記
回路
　　ｃ．特許請求の範囲の請求項１「この信号供給手段からの走査開始信号を受けるべく対応する上記走査手段の走査開始位置を選択する選択手段」とあるのを、特許請求の範囲の減縮を目的として「
撮像画素数及び撮像範囲を規定した複数種類の撮像規格から、撮像規格を選択する手段と、上記
回路
、選択された撮像規格に基いて
　　ｄ．特許請求の範囲の請求項１「上記走査手段が走査すべき所定の範囲を越えて上記走査信号が伝搬することを禁止する走査禁止手段と」とあるのを、特許請求の範囲の減縮を目的として「上記走査
回路
選択された撮像規格の撮像
　　ｅ．特許請求の範囲の請求項２「上記走査手段は双方向バッファで構成され、上記走査手段」とあるのを、特許請求の範囲の減縮を目的として「上記走査
回路
回路
　　ｆ．段落【０００９】全文を明瞭でない記載の釈明を目的として、
「　　【０００９】
　　【課題を解決するための手段】
　すなわちこの発明は、Ｘ及びＹ方向に配列されたＸＹアドレス可能な複数の撮像画素を走査する走査
回路
上記
回路
撮像画素数及び撮像範囲を規定した複数種類の撮像規格から、撮像規格を選択する手段と、上記
回路
、選択された撮像規格に基いて
回路
選択された撮像規格の撮像
　　ｇ．段落【００１０】全文を明瞭でない記載の釈明を目的として、
「　　【００１０】
　　【作用】
　この発明の撮像装置にあっては、
撮像画素数及び撮像範囲を規定した複数種類の撮像規格から、撮像規格を選択する手段と、上記
回路
、選択された撮像規格に基いて
回路
選択された撮像規格の撮像
撮像規格に基いて選択する
　　ｈ．段落【００１１】全文を明瞭でない記載の釈明を目的として、
「　　【００１１】
　また、走査
回路
　　ｉ．段落【００２４】全文を誤記の訂正を目的として、
「　　【００２４】
　次に、鏡像モードの場合について説明する。鏡像モードの場合は、入力端子２２にはローレベルの信号が加えられ、入力端子２３にはハイレベルの信号が加えられている。したがって、バッファ２４、２５、２６は全て非導通状態となり、バッファ２７、２８、２９が有効となる。但し、入力端子３２にローレベルの信号が加えられた場合（例えばＨＲが選択された場合）、アンドゲート３１には入力端子３２からローレベルの信号が入力されるので、バッファ２８は非導通状態と
なる
（５４）【発明の名称】
撮像装置
（５７）【特許請求の範囲】
　【請求項１】　Ｘ及びＹ方向に配列されたＸＹアドレス可能な複数の撮像画素を走査する走査
回路
　
上記
回路
　
撮像画素数及び撮像範囲を規定した複数種類の撮像規格から、撮像規格を選択する手段と、
　
上記
回路
、選択された撮像規格に基いて
　上記走査
回路
選択された撮像規格の撮像
　を具備することを特徴とする撮像装置。
　【請求項２】　上記走査
回路
回路
【発明の詳細な説明】
　　【０００１】
　【産業上の利用分野】
　この発明は、撮像装置に関し、特に高感度カメラシステムに使用される固体撮像装置に関するものである。
　　【０００２】
　【従来の技術】
　従来より、高解像の画像として、ＨＤＴＶ（１９２０×１０３５画素）、ＨＲ（１２８０×１０２４画素）、ＳＶＧＡ（１２０４×７６８画素）等の規格が提案されている。このような規格に対応する高解像の撮像素子として、例えばＣＭＤ（Ｃｈａｒｇｅ　Ｍｏｄｕｌａｔｉｏｎ　Ｄｅｖｉｃｅ：電荷変調素子）が知られている。
　　【０００３】
　図８は、ＣＭＤイメージャの構成を示したものである。同図に於いて、画素となるＣＭＤ１はドレイン、ゲート及びソースから成り、各画素のゲート選択線２で水平方向に接続され、ソース部は共通のソース選択線３で垂直方向に接続されている。そして、ドレインは全画素共通電極となっている。
　　【０００４】
　また、垂直走査回路５からは、蓄積、リード、リセット及びオーバーフローの各動作に応じた４値の電圧が、所定のタイミングでゲート選択線２に出力される。水平走査回路４と垂直走査回路５によって選択された画素の蓄積電荷に対応する電位が、ソース、垂直信号線に伝達され、各信号線毎に接続されたソースフォロア回路、ビデオ信号線、アンプを介して外部に読出される。
　　【０００５】
　このように、ＣＭＤ１では、水平走査回路４、垂直走査回路５によってデータを読出す画素を任意に選択できる（以下、ＸＹアドレスが可能であると記す）ことが特徴の１つとなっている。
　　【０００６】
　また、上述したＣＭＤのようなＸＹアドレス可能な撮像素子を用いて画素数を変えて撮像しょうとすると、例えばＥＧ　＆　Ｇ　ＲＥＴＩＣＯＮ社カタログＲＡ２５６８Ｎに示されているような構成が考えられる。このカタログに示されている技術は、撮像素子に蓄積されたデータを高速で読出すために水平走査回路を複数に分割したものであるが、水平走査回路の分割の仕方によっては、ＨＤＴＶ、ＨＲ、ＳＶＧＡ等の規格に対応するように撮像画素数を変えて撮像する目的で使用することも可能である。
　　【０００７】
　以下、図９に基いて説明する。このイメージセンサは、複数個の水平走査回路６１、６２、６３、６４、…、６ｎ−１、６ｎを備えており、その個数分の出力端子７１、７２、７３、７４、…、７ｎ−１、７ｎが設けられている。同図の例では、水平走査回路６１と６２、６３と６４、…、６ｎ−１と６ｎで組になっており、受光領域を４つのブロックに分けている。それぞれの水平走査回路は、同時に走査させることができるので、４倍のフレームレートが得られるようになっている。
　　【０００８】
　【発明が解決しようとする課題】
　上述したように、従来は撮像画素数は変更できたとしても、固定で、ＨＤＴＶ、ＨＲ、ＳＶＧＡ等の規格に定められた画素数に応じて任意に撮像装置の画素数を選択することができないものであった。この発明は、規格に応じて撮像画素数を選択することが可能な撮像装置を提供することを目的とする。
　　【０００９】
　【課題を解決するための手段】
　すなわちこの発明は、Ｘ及びＹ方向に配列されたＸＹアドレス可能な複数の撮像画素を走査する走査
回路
上記
回路
撮像画素数及び撮像範囲を規定した複数種類の撮像規格から、撮像規格を選択する手段と、上記
回路
、選択された撮像規格に基いて
回路
選択された撮像規格の撮像
　　【００１０】
　【作用】
　この発明の撮像装置にあっては、
撮像画素数及び撮像範囲を規定した複数種類の撮像規格から、撮像規格を選択する手段と、上記
、選択された撮像規格に基いて
回路
選択された撮像規格の撮像
像規格に基いて選択する
　　【００１１】
　また、走査
回路
　　【００１２】
　【実施例】
　以下、図面を参照してこの発明の実施例を説明する。図１は、水平走査回路の概略図を示すものであり、図２はこの水平走査回路を構成するシフトレジスタ群の１つの要素を示したものである。
　　【００１３】
　図１に於いて、入力端子１１から、図示されているようなスタートパルスが加えられると、スイッチ１２を介してシフトレジスタ要素１３１、１３２、１３３に入力される。スタートパルスが加えられると、図１の左側から右側に向かって、順に画素選択信号が、信号線１４によって出力される。
　　【００１４】
　入力端子１５は走査方向を反転させるための信号入力端子であり、インバータ１６及び１７を介してシフトレジスタ要素１３１に接続される。入力端子１５にローレベルの信号が入力されているときは、スイッチ１２及びスイッチ１８が、図示されている側に切換えられ、スタートパルスはシフトレジスタ要素１３１、１３２、１３３から与えられて、画素選択信号は左側から右側に向かって、順にアクティブになる。一方、入力端子１５にハイレベルの信号が入力されているときには、スイッチ１２及びスイッチ１８は、図示の側とは反対側に切換えられ、スタートパルスはスイッチ１８を介してシフトレジスタ要素１３４、１３５、１３６に入力される。そして、画素選択信号は、同図の右側から左側に向かって順にアクティブになる。
　　【００１５】
　ここで、１３１から１３６まで、１３２から１３５まで、１３３から１３４までの、それぞれのシフトレジスタ要素の数は、それぞれＨＤＴＶ、ＨＲ、ＳＶＧＡの画素数に対応している。すなわち、シフトレジスタ要素１３は、それぞれ１３１から１３６までの１９２０個、１３２から１３５までは１２８０個、１３３から１３４までは１０２４個の要素から構成されている。
　　【００１６】
　また、デコーダ１９は、３本の出力信号線（Ａ、Ｂ、Ｃ）２０のうち、入力端子２１から入力された信号に対応する出力信号線のみをアクティブにする。例えば、入力端子２１から「０１」、「１０」、「１１」が加えられたとすると、出力信号線２０からは、それぞれ「０１１」、「１０１」、「１１０」が出力される。３本の信号線Ａ、Ｂ、Ｃは、それぞれシフトレジスタ要素１３１と１３６、１３２と１３５、１３３と１３４に接続され、選択されたスタートパルスのみが有効になるように構成されている。例えば、入力端子２１に「０１」が入力されると、デコーダ１９からは「０１１」が出力され、ＨＤＴＶ用のスタートパルスのみが有効になる。
　　【００１７】
　図２は、シフトレジスタ要素１３２または１３５の詳細を示したものである。入力端子２２、２３には、図１に於けるインバータ１６と１７の出力が、それぞれ入力される。図２に於いて、左側から右側へ走査するとき（以下、ノーマルモードと記す。）には、入力端子２２にはハイレベルの信号が、そして入力端子２３にはローレベルの信号が入力される。一方、右側から左側に走査するとき（以下、鏡像モードと記す。）は、入力端子２２にはローレベルの信号が、入力端子２３にはハイレベルの信号が入力される。
　　【００１８】
　また、上記入力端子２２及び２３には、それぞれバッファ２４、２５、２６及び２７、２８、２９が接続されている。このうち、バッファ２４及び２８には、アンドゲート３０及び３１を介して入力端子３２から上記出力信号線２０の信号線ＢまたはＣからの信号が入力される。バッファ３３は、入力端子３４よりスタートパルスが入力され、インバータ３５を介した制御線３６からの制御を受け、バッファ３７を介して制御線３８に出力を供給する。更に、スイッチ３９、４０は、それぞれ制御線４１、４２からの信号によってオン、オフするものである。
　　【００１９】
　以下、ノーマルモードについて説明する。この場合、入力端子２３にはローレベルの信号が入力されているので、バッファ２７、２８、２９は全て非導通状態となっている。いま、ＨＲ規格が選択されだとすると、入力端子３２にはローレベルの信号が入力され、バッファ３３の制御線がハイとなってバッファ３３は導通状態になる。このとき、スタートパルスは入力端子３４から印加され、バッファ３３を介してバッファ２５に入力されると共に、バッファ３７を介して信号線３８に出力された各画素に供給される。バッファ２５及び２６は、入力端子２２からハイレベルの信号が制御線に入力されているので、導通状態にある。また、スイッチ３９及び４０は、制御線４１及び４２によって所定のタイミングでオン、オフされる。
　　【００２０】
　次に、スタートパルスがシフトされる動作を、図３及び図４を参照して説明する。図３は、図２に示されたシフトレジスタ要素の主要部を抜き出して示した図で、図４は図３の各部の出力のタイミングチャートを示したものである。尚、図３に於いて、４３、４４、４５、４６、４７、４８はバッファ、４９、５０、５１、５２はスイッチであり、ａ、ｂ及びＸ、Ｙは信号線である。
　　【００２１】
　図３のバッファ４４と４５は、それぞれ図２のバッファ２５、２６に対応し、信号ｂは図２の制御線４１、４２にそれぞれ対応して、ハイレベル時にスイッチが導通する。スタートパルスが印加されると、スタートパルスがハイの間にスイッチ４９がオン、オフし、バッファ４５はハイレベルが保持される。次いで、スイッチ５０がオン、オフするように制御され、バッファ４６、４７がハイレベルを保持し、隣の画素列への選択信号Ｙがハイになる。
　　【００２２】
　次に、スイッチ４９、５１がオン、オフされると、バッファ４５がローになると共にバッファ４８がハイになる。続いて、スイッチ５０、５２がオン、オフされ、バッファ４６、４７がローになり、選択信号Ｙがローになる。更に、スイッチ５１がオン、オフされると、バッファ４８の出力はローとなる。以下、この動作の繰返しにより、バッファ４４に供給されたスタートパルスは、同図に於いて右方向に順次移動していく。
　　【００２３】
　図２に戻って、入力端子２２から加えられているハイレベルの信号と、入力端子３２より供給されているローレベルの信号が、アンドゲート３０によって論理積をとられた結果、制御線がローレベルとなるので、バッファ２４は非導通状態となる。このため、バッファ２４より左側からくる信号は、バッファ２４を越えて右側に進むことはない。したがって、このシフトレジスタ要素１３が右端の１３５として用いられた場合、画素選択用のパルスがＨＲの有効画素数を越えて右側に進んでいくことを禁止している。
　　【００２４】
　次に、鏡像モードの場合について説明する。鏡像モードの場合は、入力端子２２にはローレベルの信号が加えられ、入力端子２３にはハイレベルの信号が加えられている。したがって、バッファ２４、２５、２６は全て非導通状態となり、バッファ２７、２８、２９が有効となる。但し、入力端子３２にローレベルの信号が加えられた場合（例えばＨＲが選択された場合）、アンドゲート３１には入力端子３２からローレベルの信号が入力されるので、バッファ２８は非導通状態と
なる
　　【００２５】
　また、左端と右端に位置されるシフトレジスタ要素１３の回路は、それぞれ図５及び図６に示されるように構成されている。図５では、図２のバッファ２７に対応するバッファが除かれ、バッファ２４に対応するバッファの入力がグランドに落とされている。図６では、図２のバッファ２５、２６、２９に対応するバッファを除いて、バッファ２８に対応するバッファの入力をグランドに落とした構成となっている。そして、図５及び図６の回路とも、その他の構成は図２に示されたものと同じであるので、ここでは説明を省略する。
　　【００２６】
　同実施例では、以上述べたような構成で、選択されたＨＤＴＶ、ＨＲ、ＳＶＧＡ等の規格に対応した画素数だけ水平方向の画素が走査される撮像素子を構成することができる。
　　【００２７】
　尚、上述した実施例では、水平走査回路についてのみ述べたが、全く同様の回路構成で垂直走査回路についても実現することができ、全体としてＨＤＴＶ、ＨＲ、ＳＶＧＡ等の規格に応じた撮像画素を選択することができる。次に、この発明の第２の実施例について説明する。
　　【００２８】
　上述した第１の実施例では、撮像素子がＨＤＴＶ、ＨＲ、ＳＶＧＡ等の高解像画像に対応する画素数を有している場合についてに述べたが、この発明は、上記実施例に限定されることなく、画素数がより少ない撮像素子についても効果的に適用することができる。
　　【００２９】
　以下、図７を参照して、この発明の第２の実施例を説明する。光学系５３によって、図示されない外部の物体の像が、同実施例に係る撮像素子５４上に結像される。同時に、ハーフプリズム５５によって撮像素子５４上に結像された像と鏡像関係にある像が、撮像素子５６上に結像される。撮像素子５４と５６は、半画素分だけシフトして配置され、両方の撮像素子からの出力信号を合成することにより、より高解像な画像を撮像することができる。ここで、撮像素子５４と５６上の像は鏡像関係にあるが、上記第１の実施例で述べたように、この発明によれば逆方向からの走査も容易に実現することができる。
　　【００３０】
　このように、従来は、画素をシフトして高解像の画像を得る場合、鏡像を避けるために２回反射させて画像を得ていたが、この第２の実施例によれば１回の反射でよく、ハーフプリズムの小型化を図ることができる。
　　【００３１】
　【発明の効果】
以上のようにこの発明によれば、規格に応じて撮像画素数を選択することが可能な撮像装置を提供することができる。
【図面の簡単な説明】
　　【図１】
　この発明に係る撮像装置の第１の実施例で水平走査回路の概略的な回路構成図である。
　　【図２】
　図１の水平走査回路を構成するシフトレジスタ群の１つの要素を示した回路構成図である。
　　【図３】
　図２に示されたシフトレジスタ要素の主要部を抜き出して示した概略的回路構成図である。
　　【図４】
　図３の各部の出力のタイミングチャートである。
　　【図５】
　図２の左端に位置されるシフトレジスタ要素の回路構成図である。
　　【図６】
　図２の右端に位置されるシフトレジスタ要素の回路構成図である。
　　【図７】
　この発明の第２の実施例を示すもので、撮像装置の概略的構成を示した図である。
　　【図８】
　従来の撮像装置としてのＣＭＤイメージャを示した回路構成図である。
　　【図９】
　従来の撮像装置を示すものでイメージセンサの回路構成図である。
　　【符号の説明】
１１、１５、２１、２２、２３、３２、３４…入力端子、１２、１８、３９、４０…スイッチ、１３（１３１、１３２、１３３、…、１３４、１３５、１３６）、１４…信号線、１６、１７、３５…インバータ、１９…デコーダ、２０…出力信号線、２４、２５、２６、２７、２８、２９、３３、３７…バッファ、３０、３１…アンドゲート、３６、３８…制御線。